(57)【要約】【課題】基板ユニットの導体部が増加してもハウジングの端子挿入孔に防水栓を組付けることができるコネクタを提供する。【解決手段】基板ユニットと、一側面側に基板ユニットの端部が挿入されるハウジング１１と、このハウジング１１の内部に複数列配置され基板ユニットに接続される複数の基板接続用端子と、ハウジング１１の他側面側に設けられた複数の端子挿入孔１５にそれぞれ挿入され複数の基板接続用端子にそれぞれ接続される複数の相手端子と、この複数の相手端子にそれぞれ設けられハウジング１１の端子挿入孔１５との間に密着される防水栓１９とを備えたコネクタ１において、隣り合う基板接続用端子の端子接続部を、複数の基板接続用端子の配列方向面に対して一面側と他面側とにそれぞれ配置し、ハウジング１１の複数の端子挿入孔１５を、複数の基板接続用端子の端子接続部と対応する位置に設けた。【選択図】図２
2016009602.tif 000002
【特許請求の範囲】
【請求項１】
端部に回路基板の導体部が複数設けられた基板ユニットと、一側面側に前記基板ユニットの端部が挿入されるフード部が設けられたハウジングと、このハウジングの内部に複数列配置され前記基板ユニットの導体部に接続される複数の基板接続用端子と、前記ハウジングの他側面側に設けられた複数の端子挿入孔にそれぞれ挿入され前記複数の基板接続用端子にそれぞれ接続される複数の相手端子と、この複数の相手端子にそれぞれ設けられ前記ハウジングの端子挿入孔との間に密着される防水栓とを備えたコネクタであって、
前記複数の基板接続用端子は、前記基板ユニットの導体部に接続される基板接続部と、この基板接続部と反対側に設けられ前記相手端子に接続される端子接続部とをそれぞれ有し、
隣り合う前記基板接続用端子の端子接続部は、前記複数の基板接続用端子の配列方向面に対して一面側と他面側とにそれぞれ配置され、
前記ハウジングの複数の端子挿入孔は、前記複数の基板接続用端子の端子接続部と対応する位置に設けられていることを特徴とするコネクタ。
【請求項２】
請求項１記載のコネクタであって、
前記ハウジングの隣り合う端子挿入孔は、端縁部が前記複数の基板接続用端子の配列方向面と直交する方向にオーバーラップして設けられていることを特徴とするコネクタ。
【発明の詳細な説明】
【技術分野】
【０００１】
本発明は、コネクタに関する。
【背景技術】
【０００２】
従来、コネクタとしては、端部に回路基板の導体部としての端子部が複数設けられた基板ユニットとしての基板側ハウジングと、一側面側が基板側ハウジングのフード部内に挿入され、内部に複数列配置され基板側ハウジングの端子部に接触可能な基板接続用端子としての端子金具が収容されたハウジングとしての端子側ハウジングとを備えたものが知られている（例えば、特許文献１参照）。
【０００３】
このコネクタでは、端子金具の基板側ハウジングの端子部と接触する弾性接触片の反対側に電線の端末が圧着されて接続され、端子側ハウジングの他側面側から電線が導出されている。
【０００４】
一方、他のコネクタとしては、一側面側に基板接続用端子としてのピンコンタクトが複数収容されたプラグが嵌合されるハウジングと、このハウジングの他側面側に設けられた複数の端子挿入孔にそれぞれ挿入され、複数のピンコンタクトにそれぞれ接続される複数の相手端子としてのコンタクトとを備えたものが知られている（例えば、特許文献２参照）。
【０００５】
このコネクタでは、コンタクトにハウジングの端子挿入孔との間に密着される防水栓としてのゴム止栓がそれぞれ設けられ、コンタクトをハウジングの端子挿入孔に挿入した状態で、ゴム止栓によってコンタクトとハウジングとの間を防水している。
【先行技術文献】
【特許文献】
【０００６】
【特許文献１】特開２００３−１７８８３４号公報
【特許文献２】特開２００９−７６２３４号公報
【発明の概要】
【発明が解決しようとする課題】
【０００７】
ところで、上記特許文献１のようなコネクタでは、ハウジング内における複数の基板接続用端子のそれぞれの配列位置が、ハウジングに接続される基板ユニットの端部に設けられた回路基板の導体部の配置位置に対応している。
【０００８】
このため、例えば、基板ユニットの多極化によって導体部が増加すれば、複数の導体部間ピッチが狭くなり、これに応じてハウジング内における複数の基板接続用端子間ピッチも狭くなる。従って、ハウジングの相手端子が挿入される複数の端子挿入孔間ピッチが狭くなる。
【０００９】
しかしながら、上記特許文献２のようなコネクタでは、ハウジングの複数の端子挿入孔間ピッチが狭くなってしまうと、隣り合う端子挿入孔同士が干渉してしまい、防水栓を端子挿入孔に組付けることができなかった。
【００１０】
そこで、この発明は、基板ユニットの導体部が増加してもハウジングの端子挿入孔に防水栓を組付けることができるコネクタの提供を目的としている。
【課題を解決するための手段】
【００１１】
請求項１記載の発明は、端部に回路基板の導体部が複数設けられた基板ユニットと、一側面側に前記基板ユニットの端部が挿入されるフード部が設けられたハウジングと、このハウジングの内部に複数列配置され前記基板ユニットの導体部に接続される複数の基板接続用端子と、前記ハウジングの他側面側に設けられた複数の端子挿入孔にそれぞれ挿入され前記複数の基板接続用端子にそれぞれ接続される複数の相手端子と、この複数の相手端子にそれぞれ設けられ前記ハウジングの端子挿入孔との間に密着される防水栓とを備えたコネクタであって、前記複数の基板接続用端子は、前記基板ユニットの導体部に接続される基板接続部と、この基板接続部と反対側に設けられ前記相手端子に接続される端子接続部とをそれぞれ有し、隣り合う前記基板接続用端子の端子接続部は、前記複数の基板接続用端子の配列方向面に対して一面側と他面側とにそれぞれ配置され、前記ハウジングの複数の端子挿入孔は、前記複数の基板接続用端子の端子接続部と対応する位置に設けられていることを特徴とする。
【００１２】
このコネクタでは、隣り合う基板接続用端子の端子接続部が複数の基板接続用端子の配列方向面に対して一面側と他面側とにそれぞれ配置され、ハウジングの複数の端子挿入孔が複数の基板接続用端子の端子接続部と対応する位置に設けられているので、隣り合う端子挿入孔同士が複数の基板接続用端子の配列方向面に沿って配置されることがなく、隣り合う端子挿入孔同士の干渉を防止することができる。
【００１３】
従って、このようなコネクタでは、隣り合う端子挿入孔同士が干渉することがないので、端子挿入孔のサイズを変更することなく、端子挿入孔に防水栓を組付けることができ、基板ユニットの導体部が増加してもハウジングの端子挿入孔に防水栓を組付けることができる。
【００１４】
請求項２記載の発明は、請求項１記載のコネクタであって、前記ハウジングの隣り合う端子挿入孔は、端縁部が前記複数の基板接続用端子の配列方向面と直交する方向にオーバーラップして設けられていることを特徴とする。
【００１５】
このコネクタでは、ハウジングの隣り合う端子挿入孔の端縁部が複数の基板接続用端子の配列方向面と直交する方向にオーバーラップして設けられているので、ハウジングの他側面側に端子挿入孔のサイズを変更することなく、最大限の端子挿入孔を設けることができ、基板ユニットの多極化に対応することができる。
【発明の効果】
【００１６】
本発明によれば、基板ユニットの導体部が増加してもハウジングの端子挿入孔に防水栓を組付けることができるコネクタを提供することができるという効果を奏する。
【図面の簡単な説明】
【００１７】
【図１】本発明の実施の形態に係るコネクタの分解斜視図である。
【図２】（ａ）は本発明の実施の形態に係るコネクタの上面図である。（ｂ）は本発明の実施の形態に係るコネクタの正面図である。
【図３】図２（ａ）中Ａ−Ａ線に沿う断面図である。
【図４】（ａ）は本発明の実施の形態に係るコネクタのインナハウジングの上面図である。（ｂ）は本発明の実施の形態に係るコネクタのインナハウジングの正面図である。（ｃ）は本発明の実施の形態に係るコネクタのインナハウジングの背面図である。
【図５】（ａ）は本発明の実施の形態に係るコネクタのキャリアに連結された基板接続用端子の斜視図である。（ｂ）は本発明の実施の形態に係るコネクタのキャリアに連結された基板接続用端子の上面図である。（ｃ）は本発明の実施の形態に係るコネクタのキャリアに連結された基板接続用端子の正面図である。（ｄ）は本発明の実施の形態に係るコネクタのキャリアに連結された基板接続用端子の側面図である。
【図６】（ａ）は本発明の実施の形態に係るコネクタの基板接続用端子の上面図である。（ｂ）は本発明の実施の形態に係るコネクタの基板接続用端子の正面図である。（ｃ）は本発明の実施の形態に係るコネクタの基板接続用端子の側面図である。
【図７】（ａ）は本発明の実施の形態に係るコネクタのインナハウジングに基板接続用端子を収容したときの上面図である。（ｂ）は本発明の実施の形態に係るコネクタのインナハウジングに基板接続用端子を収容したときの正面図である。（ｃ）は本発明の実施の形態に係るコネクタのインナハウジングに基板接続用端子を収容したときの背面図である。
【図８】本発明の実施の形態に係るコネクタのインナハウジングに基板接続用端子を収容したときの断面図である。
【図９】本発明の実施の形態に係るコネクタの断面図である。
【発明を実施するための形態】
【００１８】
図１〜図９を用いて本発明の実施の形態に係るコネクタについて説明する。
【００１９】
本実施の形態に係るコネクタ１は、端部に回路基板３の導体部５が複数設けられた基板ユニット７と、一側面側に基板ユニット７の端部が挿入されるフード部９が設けられたハウジング１１と、このハウジング１１の内部に複数列配置され基板ユニット７の導体部５に接続される複数の基板接続用端子１３と、ハウジング１１の他側面側に設けられた複数の端子挿入孔１５にそれぞれ挿入され複数の基板接続用端子１３にそれぞれ接続される複数の相手端子１７と、この複数の相手端子１７にそれぞれ設けられハウジング１１の端子挿入孔１５との間に密着される防水栓１９とを備えている。
【００２０】
また、複数の基板接続用端子１３は、基板ユニット７の導体部５に接続される基板接続部２１と、この基板接続部２１と反対側に設けられ相手端子１７に接続される端子接続部２３とをそれぞれ有する。
【００２１】
そして、隣り合う基板接続用端子１３，１３の端子接続部２３，２３は、複数の基板接続用端子１３の配列方向面に対して一面側と他面側とにそれぞれ配置され、ハウジング１１の複数の端子挿入孔１５は、複数の基板接続用端子１３の端子接続部２３と対応する位置に設けられている。
【００２２】
また、ハウジング１１の隣り合う端子挿入孔１５，１５は、端縁部が複数の基板接続用端子１３の配列方向面と直交する方向にオーバーラップして設けられている。
【００２３】
図１〜図９に示すように、基板ユニット７は、合成樹脂などの絶縁性材料からなる基板ハウジング２５内に回路基板３がインサート成形されている。この基板ハウジング２５から露出する回路基板３の端部には、回路パターンを構成する複数の導体部５が幅方向に複数列設けられている。
【００２４】
このような基板ユニット７は、複数の導体部５側の端部が基板ハウジング２５の外周に設けられた一対のガイドリブ２７，２７とハウジング１１に設けられた一対のガイド溝２９，２９とを介してハウジング１１のフード部９内に挿入され、基板ハウジング２５とハウジング１１とに設けられた係止部３１，３３を介して係止される。
【００２５】
なお、基板ユニット７とハウジング１１との間には、基板ユニット７とハウジング１１とに密着して基板ユニット７とハウジング１１との間を防水するゴムパッキン３５が配置される。
【００２６】
ハウジング１１は、合成樹脂などの絶縁性材料からなり、アウタハウジング３７と、インナハウジング３９とを備えている。アウタハウジング３７は、一側面側に基板ユニット７の端部が挿入されるフード部９が設けられ、他側面側に相手端子１７が挿入される複数の端子挿入孔１５が設けられている。このアウタハウジング３７内には、インナハウジング３９が収容される。
【００２７】
インナハウジング３９は、アウタハウジング３７のフード部９からアウタハウジング３７内に収容される。また、インナハウジング３９には、幅方向に複数列配置された端子収容室４１が高さ方向に２段設けられている。このインナハウジング３９の複数の端子収容室４１には、それぞれ基板接続用端子１３が収容される。
【００２８】
複数の基板接続用端子１３は、薄板状の導電性材料からなり、キャリア４３を切り離すことにより、それぞれインナハウジング３９の端子収容室４１に収容され、ハウジング１１の幅方向に複数列配置される。この基板接続用端子１３は、それぞれ基板ユニット７の導体部５に接続される基板接続部２１と、この基板接続部２１と反対側に設けられ相手端子１７に接続される端子接続部２３とを有している。
【００２９】
基板接続用端子１３の基板接続部２１は、複数の基板接続用端子１３の配列方向面に対して他面側、ここでは、下側に向けて折り曲げ加工された弾性接触片となっている。この基板接続部２１は、複数の基板接続用端子１３をインナハウジング３９の端子収容室４１の上段と下段とに上下対称に収容することにより、一対の弾性接触片となる。
【００３０】
この一対の基板接続部２１，２１間に基板ユニット７の導体部５を挿入することにより、一対の基板接続部２１，２１が導体部５に接続され、基板ユニット７と複数の基板接続用端子１３とが導通される。このような基板接続部２１の反対側には、端子接続部２３が連続する一部材で設けられている。
【００３１】
基板接続用端子１３の端子接続部２３は、複数の基板接続用端子１３の配列方向面に対して一面側と他面側、ここでは、上側と下側に向けて千鳥状に交互に折り曲げ加工されたタブ状の雄型端子となっている。
【００３２】
この端子接続部２３は、複数の基板接続用端子１３をインナハウジング３９の端子収容室４１に収容することにより、端子収容室４１の上段及び下段において、複数の基板接続用端子１３の配列方向面に対して隣り合う端子接続部２３と反対側に位置される。このような端子接続部２３は、アウタハウジング３７の複数の端子挿入孔１５に配置される。
【００３３】
複数の端子挿入孔１５は、アウタハウジング３７の他側面に複数の基板接続用端子１３の端子接続部２３と対応する位置、すなわち、複数の基板接続用端子１３の配列方向面に対して一面側と他面側、ここでは、上側と下側に向けて千鳥状に交互に設けられている。
【００３４】
この端子挿入孔１５の開口の端縁部は、隣り合う端子挿入孔１５の開口の端縁部と複数の基板接続用端子１３の配列方向面と直交する方向、ここでは、ハウジング１１の高さ方向にオーバーラップして設けられている。このような複数の端子挿入孔１５には、それぞれ相手端子１７が挿入される。
【００３５】
複数の相手端子１７は、導電性材料からなり、電線４５の端末に接続され、箱状の接続部を有する雌型端子となっている。この複数の相手端子１７は、それぞれ複数の端子挿入孔１５に挿入されることにより、基板接続用端子１３の端子接続部２３が挿入されて接続され、基板接続用端子１３を介して基板ユニット７に導通される。なお、アウタハウジング３７内には、相手端子１７に係止して抜け止めを行う係止ランス４７が設けられている。このような複数の相手端子１７には、それぞれ防水栓１９が設けられている。
【００３６】
防水栓１９は、ゴム栓などのシール部材からなり、内部に電線４５が密着して挿通され、相手端子１７の端部に配置される。この防水栓１９は、相手端子１７を端子挿入孔１５に挿入することにより、端子挿入孔１５の内周に密着して配置され、相手端子１７とアウタハウジング３７との間を防水する。
【００３７】
このようなコネクタ１では、隣り合う基板接続用端子１３，１３の端子接続部２３，２３が複数の基板接続用端子１３の配列方向面に対して一面側と他面側とにそれぞれ配置され、ハウジング１１の複数の端子挿入孔１５が複数の基板接続用端子１３の端子接続部２３と対応する位置に千鳥状に設けられているので、隣り合う端子挿入孔１５，１５同士が複数の基板接続用端子１３の配列方向面に沿って配置されることがなく、隣り合う端子挿入孔１５，１５同士の干渉を防止することができる。すなわち、図２（ｂ）に示すように、ハウジング１１の複数の端子挿入孔１５が千鳥状に配置されているので、防水栓１９同士の干渉を回避してピッチを狭くすることができ、その分、ハウジング１１の小型化を図ることができる。
【００３８】
従って、このようなコネクタ１では、隣り合う端子挿入孔１５，１５同士が干渉することがないので、端子挿入孔１５のサイズを変更することなく、端子挿入孔１５に防水栓１９を組付けることができ、基板ユニット７の導体部５が増加してもハウジング１１の端子挿入孔１５に防水栓１９を組付けることができる。
【００３９】
また、ハウジング１１の隣り合う端子挿入孔１５，１５の端縁部は、複数の基板接続用端子１３の配列方向面と直交する方向にオーバーラップして設けられているので、ハウジング１１の他側面側に端子挿入孔１５のサイズを変更することなく、最大限の端子挿入孔１５を設けることができ、基板ユニット７の多極化に対応することができる。
【００４０】
なお、本発明の実施の形態に係るコネクタでは、ハウジングの幅方向に複数列配置された複数の基板接続用端子が２段配置されているが、これに限らず、４段以上配置させてもよい。
【００４１】
また、基板接続用端子の基板接続部は、基板接続用端子を上下対称に配置させることによって一対の弾性接触片となっているが、これに限らず、１つの基板接続用端子に一対の弾性接触片を設ける、或いは基板ユニットの導体部に接触する１つの接触片などであってもよい。この場合には、ハウジングの幅方向に複数列配置された複数の基板接続用端子を２段以上設けてもよい。
【００４２】
さらに、基板接続用端子の端子接続部が雄型、相手端子が雌型となっているが、これに限らず、基板接続用端子の端子接続部が雌型、相手端子が雄型であってもよい。
【符号の説明】
【００４３】
１…コネクタ
３…回路基板
５…導体部
７…基板ユニット
９…フード部
１１…ハウジング
１３…基板接続用端子
１５…端子挿入孔
１７…相手端子
１９…防水栓
２１…基板接続部
２３…端子接続部
【図１】
2016009602.tif 000003
【図２】
2016009602.tif 000004
【図３】
2016009602.tif 000005
【図４】
2016009602.tif 000006
【図５】
2016009602.tif 000007
【図６】
2016009602.tif 000008
【図７】
2016009602.tif 000009
【図８】
2016009602.tif 000010
【図９】
2016009602.tif 000011